(57)【要約】【課題】読取画像の品質の低下を防ぐ画像読取装置を提供する。【解決手段】原稿画像が置かれた原稿台に設けられた白色基準板を読み取り、原稿画像を読み取って所定の画質の読取信号を出力するための利得補正値を取得する。その取得された利得補正値に基づいて、原稿台上の位置に応じた利得補正値をさらに取得し、原稿台上の位置に応じた利得補正値を用いて原稿画像を読み取る。【選択図】図９
2015119364.tif 000002
【特許請求の範囲】
【請求項１】
原稿台上の原稿画像を読み取って読取信号を出力する読取手段と、
前記原稿台に設けられた利得決定用基準部材からの反射光により前記読取手段の読取信号の利得を設定するための信号を取得する信号取得手段と、
前記信号取得手段が取得した信号に基づいて、前記原稿台上の位置に応じた前記読取手段の読取信号の利得を演算する演算手段と、
を備えることを特徴とする画像読取装置。
【請求項２】
前記演算手段が演算する利得を設定するための信号は、前記原稿台上で前記白色基準部材から離れるほど小さくなることを特徴とする請求項１に記載の画像読取装置。
【請求項３】
前記演算手段は、前記信号取得手段が取得した信号を前記原稿台の位置に対応づけるテーブルを有することを特徴とする請求１又は２に記載の画像読取装置。
【請求項４】
前記演算手段が演算する利得を設定するための信号は、所定の値に対して、前記原稿台上の位置に応じて変化することを特徴とする請求項１乃至３のいずれか１項に記載の画像読取装置。
【請求項５】
前記演算手段が演算する利得を設定するための信号は、所定の値に対して、前記原稿台上の位置に応じて線形的に変化することを特徴とする請求項４に記載の画像読取装置。
【請求項６】
前記原稿台には、前記利得決定用基準部材が設けられた位置と異なる位置に第２の基準部材がさらに設けられており、
前記所定の値は、前記第２の利得決定用基準部材からの反射光により取得される信号に基づいて決定される値である、ことを特徴とする請求項５に記載の画像読取装置。
【請求項７】
前記原稿台上の位置は、前記利得決定用基準部材からの画素数で表わされることを特徴とする請求項１乃至６のいずれか１項に記載の画像読取装置。
【請求項８】
前記読取手段はラインセンサで構成されると共に、前記利得決定用基準部材は前記ラインセンサ方向に沿って設けられ、
前記演算手段は、前記信号取得手段により取得された信号に基づいて、前記ラインセンサ方向に直交する方向に前記読取手段の読取信号の利得を演算することを特徴とする請求項１乃至７のいずれか１項に記載の画像読取装置。
【請求項９】
請求項１乃至８のいずれか１項に記載の画像読取装置と、
前記画像読取装置によって読み取った原稿画像に応じた現像剤像を形成する現像剤像形成手段と、
前記現像剤像を記録媒体に形成する転写手段と、
前記転写手段で前記現像剤像が転写された前記記録媒体を加熱して、前記記録媒体に前記現像剤像を定着させる定着手段と、
を備えることを特徴とする画像形成装置。
【請求項１０】
原稿台上の原稿画像を読み取って読取信号を出力する読取手段を備える画像読取装置において実行される制御方法であって、
前記原稿台に設けられた利得決定用基準部材からの反射光により前記読取手段の読取信号の利得を設定するための信号を取得する信号取得工程と、
前記信号取得工程で取得した信号に基づいて、前記原稿台上の位置に応じた前記読取手段の読取信号の利得を演算する演算工程と、
を有することを特徴とする制御方法。
【請求項１１】
請求項１乃至８のいずれか１項に記載の画像読取装置の各手段としてコンピュータを機能させるためのプログラム。
【発明の詳細な説明】
【技術分野】
【０００１】
本発明は、原稿画像を光学的に読み取る画像読取装置、制御方法およびプログラム、並びに画像形成装置に関する。
【背景技術】
【０００２】
従来から、原稿画像を読み取る画像読取装置は、イメージ・スキャナ及び複写機の一部として使用されている。画像読取装置で使用されるＣＣＤイメージセンサ又は密着型イメージセンサ等で読み取られた画像信号は、一般に、シェーデイングと呼ばれる出力歪みを含んでいる。この出力歪みの原因として、光源の光量分布の不均一性、レンズの性質上、画角に対応した周辺光量低下、光学系の透過光量のばらつきによる不均一性、センサそのものの感度ムラ、ＣＣＤイメージセンサの転送効率に起因する１走査線終端方向に対する出力低下が挙げられる。
【０００３】
これらの出力歪みを取り除くために、予め基準面を読み取り、その読取値を使ってイメージセンサの出力画像信号の歪みを補正するシェーディング補正技術（図１１のａ〜ｃ）が知られている。また、基準面は、均一白色の白色基準板であり、原稿読取りに先立ち、センサ（イメージセンサ又はラインセンサ）は均一白色の白色基準板を読み取り、その読取値を使って利得補正値を上げて画像全体を読み取ることで、イメージセンサの出力画像信号の歪みを補正するシェーディング補正を行う（特許文献１）。
【先行技術文献】
【特許文献】
【０００４】
【特許文献１】特開平１０−３１７６９号公報
【発明の概要】
【発明が解決しようとする課題】
【０００５】
しかしながら、白色基準板は、原稿台上の原稿突き当て部側に配置されることが多い。原稿突き当て部側は構造上、白色基準板側のガラスの支えが弱くなっている。そのため、ブック原稿を読み取るときなどに原稿台ガラス面に強い押圧が加わると、図１２のように、原稿突き当て部１０４側の白色基準板１０１側の原稿ガラスが歪むことで原稿ガラス裏面に貼り付けている白色基準板も歪んでしまう（図１２（ｂ））。その結果、原稿ガラス面上に置かれた原稿を読み取ったときの出力画像信号の輝度値の均一性がなくなり、ＣＣＤイメージセンサ又は密着型イメージセンサに入射される光が減少し、白色基準板の読取値が減少する。これにより、読取画像の白レベルが低下してしまう。
【０００６】
また、歪み量は、原稿突き当て部１０４側の白色基準板１０１から原稿突き当て部１０４とは反対側のガラス端部に向かうにつれ、徐々に減少し、図１２（ｃ）のように原稿突き当て部とは反対側のガラス端部では歪みが無い状態となる場合がある。
【０００７】
上記のように、原稿台上に歪みがあると、原稿ガラス面上でも歪みが大きい箇所と小さい箇所での差が生まれ、構造上、白色基準板は歪みが大きい箇所の読取値となってしまう。歪みが大きい箇所での利得補正値を画像全体の利得補正値として用いると、原稿台ガラスの歪みが小さい箇所では、必要以上に利得補正値が大きくなってしまい、画像劣化の原因となってしまう。
【０００８】
本発明の目的は、このような従来の問題点を解決することにある。上記の点に鑑み、本発明は、読取画像の品質の低下を防ぐ画像読取装置、制御方法およびプログラム、並びに画像形成装置を提供することを目的とする。
【課題を解決するための手段】
【０００９】
上記課題を解決するため、本発明に係る画像読取装置は、原稿台上の原稿画像を読み取って読取信号を出力する読取手段と、前記原稿台に設けられた利得決定用基準部材からの反射光により前記読取手段の読取信号の利得を設定するための信号を取得する信号取得手段と、前記信号取得手段が取得した信号に基づいて、前記原稿台上の位置に応じた前記読取手段の読取信号の利得を演算する演算手段と、を備えることを特徴とする。
【発明の効果】
【００１０】
本発明によれば、読取画像の品質の低下を防ぐことができる。
【図面の簡単な説明】
【００１１】
【図１】画像形成装置の全体構成を示すブロック図である。
【図２】画像読取装置の概略構成を示す図である。
【図３】画像読取装置の画像処理系の構成を示すブロック図である。
【図４】第１実施形態の画像読取装置の原稿ガラスを上から見た図である。
【図５】第２実施形態の画像読取装置の原稿ガラスを上から見た図である。
【図６】原稿台ガラスの押圧が弱い時の様子を示す図である。
【図７】原稿台ガラスの押圧が強い時の様子を示す図である。
【図８】副走査方向の画素値と利得補正値との対応を示す図である。
【図９】画像読取装置の制御処理の手順を示す図である。
【図１０】画像読取装置の制御処理の手順を示す他の図である。
【図１１】原稿台ガラス面の押圧が強い状態の場合を説明する図である。
【図１２】原稿台ガラス面の押圧が強い時の様子を示す図である。
【発明を実施するための形態】
【００１２】
以下、添付図面を参照して本発明の好適な実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１３】
［第１の実施形態］
図１は、本発明の実施形態における画像形成装置の全体構成を示すブロック図である。画像形成装置１００は、図１に示すように、画像読取装置（画像入力装置）２００と、プリンタ部３００と、制御装置１１０とを含む。画像読取装置２００は、原稿画像を光学的に読み取り、画像データを生成する。画像読取装置２００は、原稿を読み取るための画像読取ユニット２１０と、原稿を搬送するための自動原稿供給ユニット（ＡＤＦ）２５０とを含む。
【００１４】
プリンタ部（画像出力装置）３００は、シートとしての記録紙（記録媒体）を画像形成位置まで搬送し、記録紙上に画像データを可視画像として印刷して装置外に排出する。プリンタ部３００は、複数種類の記録紙カセットを有する給紙ユニット３６０と、画像データを記録紙に転写、定着させるためのマーキングユニット３２０と、印刷された記録紙を装置外へ排紙するための排紙ユニット３３０と、フィニッシャユニット５００とを含む。なお、フィニッシャユニット５００は、例えばステープル処理およびソート処理を印刷された記録紙に対して実行するが、本実施形態においてはなくても良い。
【００１５】
制御装置１１０は、画像読取装置２００およびプリンタ部３００を制御可能である。また、制御装置１１０は、ネットワーク（以下、ＬＡＮという）７００を介して、外部のホストコンピュータ（ＰＣ）７０１及び７０２と相互に通信可能に接続されている。制御装置１１０は、ＦＡＸ回線１２８と接続されるモデム（不図示）を内蔵している。
【００１６】
制御装置１１０は、画像形成装置１００の複写機能を実行する場合、原稿を読み取って画像データを生成するよう画像読取装置２００を制御し、その画像データを記録紙に印刷するようプリンタ部３００を制御する。また、制御装置１１０は、画像形成装置１００のスキャン機能を実行する場合、原稿を読み取って生成された画像データをコードデータに変換し、ＬＡＮ７００を介してホストコンピュータ７０１や７０２へ送信するよう画像読取装置２００を制御する。また、制御装置１１０は、画像形成装置１００のプリント機能を実行する場合、ホストコンピュータ７０１や７０２からＬＡＮ７００を介して受信したコードデータを画像データに変換し、記録紙に印刷するようプリンタ部３００を制御する。制御装置１１０は、操作部１５０を含む。操作部１５０は、例えば、液晶タッチパネルなどの表示部を備え、画像形成装置１００の各機能の実行指示をユーザから受け付けることができる。
【００１７】
次に、図１の画像読取装置２００の画像読取ユニット２１０を、図２を参照しながら説明する。図２は、画像読取装置２００の概略構成を示す図である。画像読取ユニット２１０は、原稿を照明する光源としての照明部材２１０ａ、複数のミラー２１０ｂ及び結像レンズ２１０ｃで構成された光学系２１０ｄ、ラインセンサ２１０ｅを含む。照明部材２１０ａから照射され原稿で反射した反射光は、光学系２１０ｄを介してラインセンサ２１０ｅに結像されることで、原稿の画像信号が光電変換される。
【００１８】
図３は、画像読取装置２００の画像処理系の構成を示すブロック図である。光源は、ＬＥＤなどの光源であり、図２の照明部材２１０ａである。センサ２０１は、例えばＣＣＤラインセンサである。アンプ２０２は、利得を外部から制御可能な利得制御アンプであり、Ａ／Ｄ変換器２０３は、利得制御アンプ２０２からのアナログ出力をデジタル信号に変換する。シェーディング補正部２０７は、Ａ／Ｄ変換器２０３からの出力データをシェーディング補正する。ＣＰＵ２０４は、画像読取装置２００全体を統括的に制御する。記憶部２０５は、原稿台ガラス１０２に加わる押圧が弱い（若しくは、加わっていない）初期状態での利得補正値を記憶する。利得補正演算部２０６は、ＣＰＵ２０４からの命令によりアンプ２０２の利得を制御する。利得補正差分演算部２０９は、記憶部２０５に予め定められている基準利得補正値と、利得補正演算部２０６で得られた利得補正値との差分を演算することで、原稿台ガラス１０２に加わる押圧が弱いか強いかを判断する。画像処理部２０８は、シェーディング補正部２０７によりシェーディング補正された画像信号に対して、平滑化処理等の各種画像処理を実行し、後段に出力する。
【００１９】
次に、画像読取装置２００を制御する制御装置１１０を、図４を参照しながら説明する。図４は、画像読取装置２００の原稿ガラスを上から見た図である。第１の白色基準板１０１は、出力画像信号の歪みを補正するシェーディング補正を行うための白基準の役割を果たし、原稿台ガラス１０２に貼り付けられている。流し読みガラス１０３は、自動原稿供給ユニット（ＡＤＦ）２５０から給送された原稿用のガラスである。原稿突き当て部１０４は、原稿台ガラス１０２上に原稿をセットする基準となり、原稿台ガラス１０２の流し読みガラス側に設けられている。以下、第１の白色基準板１０１の長手方向（後述するラインセンサのセンサ並び方向）と直交する方向を副走査方向とする。また、副走査方向の位置は、第１の白色基準板１０１の位置を基準として画素数で表すものとする。
【００２０】
一般的に、図６及び図７に示すように、原稿台ガラス１０２に加わる押圧によってガラスに撓みが生じる。図６は、原稿台ガラス１０２の押圧が弱い時の様子を示す図であり、撓みが生じていない状態を示している。また、図７は、原稿台ガラス１０２の押圧が強い時の様子を示す図であり、第１の白色基準板１０１側に撓みが生じている状態を示している。図６及び図７のような違いが生じるのは、一般的に、第１の白色基準板１０１側の辺のガラスの支えが他の３辺よりも弱いという構造上の特徴に因っている。
【００２１】
次に、本実施形態における画像読取装置２００の制御動作について、図１、図３、図４、図８及び図９を参照しながら説明する。まず、光源は、第１の白色基準板１０１に対して光を照射し、センサ２０１は、その反射光を受信する。センサ２０１は受信した反射光から画像信号を出力する。その出力された画像信号は、利得１倍に設定された利得制御アンプ２０２により増幅され、Ａ／Ｄ変換器２０３によりデジタル信号に変換されて記憶部２０５に記憶される。記憶部２０５に記憶された画像信号は、基準となる白レベルにするため、利得補正演算部２０６によって、利得制御アンプ２０２の利得値を所定の利得値とするような利得補正値（図８のａ点）を算出する。この利得補正値を第１の利得補正値として記憶部２０５に格納する（Ｓ９０１）。ａ点は、原稿ガラスに加わる押圧が強い（第１の白色基準板１０１の歪みが大きい）ほど、図８の縦軸方向において増加する方向へ変化する。
【００２２】
ＣＰＵ２０４は、利得補正差分演算部２０９にて、第１白色基準板１０１から得られた利得補正値（図８のａ点）と、記憶部２０５に予め記憶されている基準利得補正値（図８のｂ点）との差を算出する（Ｓ９０２）。ここで、基準利得補正値（図８のｂ点）とは、原稿台ガラス１０２に加わる押圧が図６に示すように弱い（若しくは、加わっていない）状態で、利得制御アンプ２０２の利得値を所定の利得値とするような利得補正値である。ＣＰＵ２０４は、算出した差が所定の値以上であるか否かを判定する（Ｓ９０３）。Ｓ９０３で用いられる所定の値は、所定の値未満だと副走査方向全ての画素において一律の利得補正値を用いても画像に影響が出ない値であって、所定の値以上だと一律の利得補正値を用いたときに画像に少しは影響が出る値とする。
【００２３】
Ｓ９０３で、差が所定の値以上であると判定された場合、ＣＰＵ２０４は、Ｓ９０１で算出された第１白色基板１０１から得られた利得補正値（図８のａ点）と記憶部２０５に予め記憶されている基準利得補正値とから、副走査方向における各画素位置で用いられるべき利得補正値を算出する（Ｓ９０４）。本実施形態においては、ＣＰＵ２０４は、例えば図８に示すような副走査方向における読取装置の位置（図８では画素数と例示）と利得補正値との対応関係から、各画素位置での利得補正値を取得する。
【００２４】
原稿台ガラス１０２への押圧が図７に示すように強い場合には、白色基準板１０１の長手方向中心の撓みは顕著になる。その場合、センサ２０１の受光量は、図６に示すような押圧が弱い（若しくは、加わっていない）場合に比べると小さくなる。従って、利得制御アンプ２０２の利得値を上記所定の利得値とするような利得補正値は、押圧が弱い（若しくは、加わっていない）場合に比べると大きくなる。本実施形態においては、利得補正値と基準利得補正値との差が閾値以上であるか否かによって、図６及び図７に示すような押圧による撓みの程度を判定している。
【００２５】
利得制御アンプ２０２は、センサ２０１から出力された各画素位置での画像信号をＳ９０４で取得された利得補正値で増幅し、シェーディング補正部２０７は、Ａ／Ｄ変換器２０３によりデジタル信号に変換された画像信号に対して、シェーディング補正を行う（Ｓ９０５）。そして、画像処理部２０８は、シェーディング補正部２０７によりシェーディング補正された画像信号に対して画像処理を実行する（Ｓ９０７）。
【００２６】
上述したように、白色基準板１０１の長手方向中心の撓みは、第１の白色基準板１０１側の辺のガラスの支えが他の３辺よりも弱いという構造上の特徴に因っている。従って、副走査方向で白色基準板１０１から離れるほど、白色基準板１０１の長手方向中心で生じている撓みの量は小さくなっていく。つまり、Ｓ９０４においては、副走査方向で白色基準板１０１から離れるほど、取得される利得補正値を小さくしていく。そのような構成により、白色基準板１０１に撓みが生じていたとしても、副走査方向において安定した画質を得ることができる。本実施形態では、図８に示すように、利得補正値の変化を線形として定めているが、非線形的に変化するものとして定められていても良い。
【００２７】
Ｓ９０３で差が閾値以上でないと判定された場合、利得制御アンプ２０２は、全ての画素位置において一律に、Ｓ９０１で取得された利得補正値で、センサ２０１から出力された画像信号を増幅する。シェーディング補正処理部２０８は、各画素位置について、Ａ／Ｄ変換器２０４によりデジタル信号に変換された画像信号に対して、シェーディング補正を行う（Ｓ９０６）。そして、画像処理部２０９は、シェーディング補正部２０７によりシェーディング補正された画像信号に対して画像処理を実行する（Ｓ９０７）。
【００２８】
以上のように、原稿台ガラス面への押圧により白色基準板に撓みが生じて白色基準板の読取値が減少した場合、利得補正値を副走査方向に変化させていくことで、白基準レベルを一定にして画像品質の低下を防ぐことができる。また、本実施例では、第１の白色基準板１０１と基準利得補正値との差から、原稿台ガラスの副走査方向の撓みに応じたシェーディング補正を行っているが、主走査方向の撓みに応じたシェーディング補正を行ってもよい。
【００２９】
［第２の実施形態］
次に、第２の実施形態について、図１の画像読取装置２００を制御する制御装置１１０を、図５を参照しながら説明する。図５は、画像読取装置の原稿ガラスを上から見た図である。第１の白色基準板１０１は、出力画像信号の歪みを補正するシェーディング補正を行うための白基準の役割を果たし、原稿台ガラス１０２に貼り付けられている。流し読みガラス１０３は、自動原稿供給ユニット（ＡＤＦ）２５０から給送された原稿用のガラスである。原稿台ガラス１０２上に原稿をセットする基準となる原稿突き当て部１０４は、原稿台ガラス１０２の流し読みガラス側に配置されている。第２の白色基準板１０５は、原稿台ガラス１０２の副走査方向において第１の白色基準板１０１とは反対側の辺に貼り付けられている。
【００３０】
本実施形態における画像読取装置２００の制御動作について、図１、図３、図５、図８、図１０を参照しながら説明する。まず、光源は、第１の白色基準板１０１に対して光を照射し、センサ２０１は、その反射光を受信する。センサ２０１は受信した反射光から画像信号を出力する。その出力された画像信号は、利得１倍に設定された利得制御アンプ２０２により増幅され、Ａ／Ｄ変換器２０３によりデジタル信号に変換されて記憶部２０５に記憶される。記憶部２０５に記憶された画像信号は、基準となる白レベルにするため、利得補正演算部２０６によって、利得制御アンプ２０２の利得値を所定の利得値とするような利得補正値（図８のａ点）を算出する。この利得補正値を第１の利得補正値として記憶部２０５に格納する（Ｓ１００１）。このときａ点は、原稿ガラスに加わる押圧が強い（第１の白色基準板１０１の歪みが大きい）ほど、図８の縦軸方向において増加する方向へ変化する。
【００３１】
ＣＰＵ２０４は、その第１の利得補正値と、記憶部２０５に予め記憶されている基準利得補正値との差を算出する（Ｓ１００２）。ここで、基準利得補正値とは、図６に示すように原稿台ガラス１０２に加わる押圧が弱い（若しくは、加わっていない）状態で、利得制御アンプ２０２の利得値を所定の利得値とするような利得補正値である。ＣＰＵ２０４は、利得補正差分演算部２０９で算出した差が所定の値以上であるか否かを判定する（Ｓ１００３）。ここで、差が所定の値以上であると判定された場合、制御装置１１０は、画像読取ユニット２１０を第２の白色基準板１０５を読み取ることができる位置に移動させる。そして、光源は、第２の白色基準板１０５に対して光を照射し、センサ２０１は、その反射光を受信する。センサ２０１は受信した反射光から第２の白色基準板１０５から得られた画像信号を出力する。その出力された画像信号は、利得１倍に設定された利得制御アンプ２０２により増幅され、Ａ／Ｄ変換器２０３によりデジタル信号に変換されて記憶部２０５に記憶される。記憶部２０５に記憶された、第２の白色基準板１０５から得られた画像信号は、基準となる白レベルにするため、利得補正演算部２０６によって、利得制御アンプ２０２の利得値を所定の利得値とするような利得補正値（図８のｂ点）を算出する。ＣＰＵ２０４は、その利得補正値を第２の利得補正値（第２の白色基準板１０５から得られた利得補正値）として記憶部２０５に記憶する（Ｓ１００４）。実施例２でのｂ点は、第２の白色基準板１０５から得られる利得補正値であるため、ａ点と同様に原稿ガラスに加わる押圧が強い（第２の白色基準板１０５の歪みが大きい）ほど、図８の縦軸方向において増加する方向へ変化する。しかし、先述したように、第１の白色基準板が設けられている位置と第２の白色基準板が設けられている位置ではガラスの歪み量が異なり、第２の白色基準板１０５側の原稿ガラスは歪み量が小さいため、図８において変化する量も、ｂ点の方が小さい変化となる。
【００３２】
ＣＰＵ２０４は、第１の利得補正値（図８のａ点）と第２の利得補正値（図８のｂ点）とに基づいて、副走査方向の各画素位置で用いられるべき利得補正値を取得する。本実施形態においては、ＣＰＵ２０４は、例えば図８に示すような副走査方向の画素値と利得補正値との対応関係から、各画素位置での利得補正値を取得する（Ｓ１００５）。実施例１では、第１の白色基準板１０１から得られる第１の利得補正値と、基準利得補正値とを用いて、原稿ガラスの副走査方向における各画素の利得補正値を算出していたが、第２の実施形態では、第１の白色基準板１０１から得られる第１の利得補正値と、第２の白色基準板１０５から得られる第２の利得補正値とを用いて原稿ガラスの副走査方向における各画素の利得補正値を算出している。
【００３３】
利得制御アンプ２０２は、センサ２０１から出力された画像信号をＳ１００５で取得された利得補正値で増幅し、シェーディング補正処理部２０７は、Ａ／Ｄ変換器２０３によりデジタル信号に変換された各画素位置についての画像信号に対して、シェーディング補正を行う（Ｓ１００６）。そして、画像処理部２０８は、シェーディング補正処理部２０７によりシェーディング補正された画像信号に対して画像処理を実行する（Ｓ１００８）。
【００３４】
Ｓ１００３で差が所定の値以上でないと判定された場合、利得制御アンプ２０２は、全ての副走査方向の画素位置において一律に、Ｓ１００１で取得された第１の利得補正値で、センサ２０１から出力された画像信号を増幅する。シェーディング補正処理部２０７は、Ａ／Ｄ変換器２０３によりデジタル信号に変換された各画素位置についての画像信号に対して、シェーディング補正を行う（Ｓ１００７）。そして、画像処理部２０８は、シェーディング補正処理部２０７によりシェーディング補正された画像信号に対して画像処理を実行する（Ｓ１００８）。
【００３５】
第２の実施形態においては、第２の利得補正値を得るために第２の白色基準板１０５を設けることで、白色基準版の歪み量に応じて利得補正値を変化させることができるので、より白レベルを一定にして画像品質の低下を防ぐことができる。
【００３６】
また、第２の実施例において、第１の白色基準板１０１から得られる利得補正値と基準利得補正値との差によって利得補正値を変化させていたが、第１の白色基準板１０１から得られる利得補正値と第２の白色基準板１０５から得られる利得補正値との差によって利得補正値を変化させてもよい。
【００３７】
また、本実施例では、第１の白色基準板１０１から得られる利得補正値と、基準利得補正値または第２の白色基準板１０５から得られる利得補正値との２値間の差が所定の値以上の場合に、原稿ガラスの歪みに応じたシェーディング補正を行ったが、２値間の差の大きさに関わらず、２値間に差があった場合に原稿ガラスの歪みに応じたシェーディング補正を行ってもよい。
【００３８】
以上のように、各実施形態においては、原稿台ガラス面への押圧により白色基準板に撓みが生じて、白色基準板の読取値が減少した場合、利得補正値を副走査方向に変化させることで、白基準レベルを一定にして画像品質の低下を防ぐことができる。
【図１】
2015119364.tif 000003
【図２】
2015119364.tif 000004
【図３】
2015119364.tif 000005
【図４】
2015119364.tif 000006
【図５】
2015119364.tif 000007
【図６】
2015119364.tif 000008
【図７】
2015119364.tif 000009
【図８】
2015119364.tif 000010
【図９】
2015119364.tif 000011
【図１０】
2015119364.tif 000012
【図１１】
2015119364.tif 000013
【図１２】
2015119364.tif 000014